(57)【特許請求の範囲】
【請求項１】
略円筒形状の濾材と、前記濾材の内側に設けられた略円筒形状の内筒と、前記濾材の上端を覆うプレートであって、前記内筒の内部空間と連通する開口部を有するプレートと、を有するフィルタエレメントと、
前記フィルタエレメントが内部に設けられるフィルタケースであって、有底略円筒形状のケースと、前記ケースの開口端を覆うように設けられるヘッドであって、前記開口部に嵌合する略円筒形状の嵌合筒を有するヘッドと、を有するフィルタケースと、
を備え、
前記プレートには、閉状態と開状態との間で回転可能に設けられたカバーであって、前記閉状態では前記開口部を覆い、前記開状態では前記開口部を露出させるカバーが設けられ、
前記ケースは、略円筒形状の第１側面の内周面に、前記開状態において前記カバーの外周部が挿入される溝が形成され、
前記ケースと前記ヘッドとが取り付けられた状態では、前記カバーは前記開状態であり、かつ前記開口部に前記嵌合筒が嵌合されており、
前記ケースと前記ヘッドとが取り付けられた状態から前記ケースと前記ヘッドとを分離して前記開口部と前記嵌合筒との嵌合を外すと、前記ケース及び前記フィルタエレメントが前記ヘッドから取り外される
ことを特徴とするフィルタ装置。
【請求項２】
請求項１に記載のフィルタ装置であって、
前記カバーは、略半円形状の第１カバーと、略半円形状の第２カバーと、前記第１カバー及び前記第２カバーの位置を固定するロック機構と、を有し、
前記第１カバー及び前記第２カバーは、それぞれ回転可能に設けられ、
前記第１カバー及び前記第２カバーが閉じた状態である前記閉状態では、前記第１カバー及び前記第２カバーの内側の直線部が当接して略円形状となり、
前記ロック機構は、前記第１カバー及び前記第２カバーを前記閉状態で固定する
ことを特徴とするフィルタ装置。
【請求項３】
請求項２に記載のフィルタ装置であって、
前記第１カバーには、第１把持部が形成され、
前記第２カバーには、第２把持部が形成され、
前記閉状態では、前記第１把持部と前記第２把持部とが隣接することを特徴とするフィルタ装置。
【請求項４】
請求項１に記載のフィルタ装置であって、
前記第１側面の内周面には、第１ネジ部が形成され、
前記ヘッドは、前記嵌合筒の外側に形成された略円筒形状の第２側面を有し、
前記第２側面の外周面には、前記第１ネジ部と螺合する第２ネジ部が形成され、前記第２側面の内周面には、リブが形成され、
前記プレートには、軸受が形成され、
前記カバーは、前記閉状態で前記開口部を覆う板状部と、前記軸受に挿入される軸と、前記軸に設けられた当接部と、を有し、
前記当接部は、前記第１ネジ部と前記第２ネジ部とを螺合させて前記ケースと前記ヘッドとが所定位置まで近づくと、前記リブに当接し、
前記板状部は、前記当接部が前記リブに当接したまま前記第１ネジ部と前記第２ネジ部
との螺合量が増加すると、前記軸を中心に回転することを特徴とするフィルタ装置。
【請求項５】
請求項４に記載のフィルタ装置であって、
前記リブは、前記ヘッドの中心軸と略平行方向に延設され、前記第２側面の内周面から最も突出している頂部が前記第２側面の内周面と略平行であり、前記頂部の両端に曲面が形成されていることを特徴とするフィルタ装置。
【請求項６】
請求項４又は５に記載のフィルタ装置であって、
前記当接部は、略Ｊ字形状であり、
前記軸の外周部の第１の位置には、前記板状部の端部が固定され、
前記軸の外周部の前記第１の位置と略反対側の第２の位置には、前記当接部の前記略Ｊ字形状のうちの短い辺の先端が、前記略Ｊ字形状のうちの長い辺の先端が前記フィルタエレメントの径方向外側に向けて突出するように固定されることを特徴とするフィルタ装置。
【発明の詳細な説明】
【技術分野】
【０００１】
本発明は、フィルタ装置に関する。
【背景技術】
【０００２】
特許文献１には、濾過すべき液が周壁部の内側と外側との間を移動することによって濾過されるフィルタエレメントと、フィルタエレメントを内側に収容するハウジングと、ハウジング内の液を排出するドレン装置と、を有する濾過装置が開示されている。
【先行技術文献】
【特許文献】
【０００３】
【特許文献１】特開２００７−１３０６３１号公報
【発明の概要】
【発明が解決しようとする課題】
【０００４】
しかしながら、特許文献１に記載の発明では、フィルタエレメント交換のためにヘッドからハウジングを外すと、ヘッドにフィルタエレメントが取り付けられたまま、ハウジングのみがヘッドから取り外される。そのため、フィルタエレメントを交換する時には、油が付着したフィルタエレメントを把持して、ヘッドからフィルタエレメントを取り外さなければならず、フィルタエレメントの交換が容易ではないという問題がある。
【０００５】
本発明はこのような事情に鑑みてなされたもので、フィルタエレメントを簡単に交換することができるフィルタ装置を提供することを目的とする。
【課題を解決するための手段】
【０００６】
上記課題を解決するために、本発明に係るフィルタ装置は、例えば、略円筒形状の濾材と、前記濾材の内側に設けられた略円筒形状の内筒と、前記濾材の上端を覆うプレートであって、前記内筒の内部空間と連通する開口部を有するプレートと、を有するフィルタエレメントと、前記フィルタエレメントが内部に設けられるフィルタケースであって、有底略円筒形状のケースと、前記ケースの開口端を覆うように設けられるヘッドであって、前記開口部に嵌合する略円筒形状の嵌合筒を有するヘッドと、を有するフィルタケースと、を備え、前記プレートには、閉状態と開状態との間で回転可能に設けられたカバーであって、前記閉状態では前記開口部を覆い、前記開状態では前記開口部を露出させるカバーが設けられ、前記ケースは、略円筒形状の第１側面の内周面に、前記開状態において前記カバーの外周部が挿入される溝が形成され、前記ケースと前記ヘッドとが取り付けられた状態では、前記カバーは前記開状態であり、かつ前記開口部に前記嵌合筒が嵌合されており、前記ケースと前記ヘッドとが取り付けられた状態から前記ケースと前記ヘッドとを分離して前記開口部と前記嵌合筒との嵌合を外すと、前記ケース及び前記フィルタエレメントが前記ヘッドから取り外されることを特徴とする。
【０００７】
本発明に係るフィルタ装置によれば、ケースとヘッドとが取り付けられた状態では、プレートに設けられたカバーは開状態であり、かつプレートの開口部にヘッドの嵌合筒が嵌合されている。ケースとヘッドとが取り付けられた状態からケースとヘッドとを分離すると、カバーの外周部がケースの溝に挿入されているため、ケース及びフィルタエレメントがヘッドから分離される。これにより、フィルタエレメントを簡単に交換することができる。また、フィルタエレメントの交換に必要なスペースを狭くすることができる。
【０００８】
ここで、前記カバーは、略半円形状の第１カバーと、略半円形状の第２カバーと、前記第１カバー及び前記第２カバーの位置を固定するロック機構と、を有し、前記第１カバー及び前記第２カバーは、それぞれ回転可能に設けられ、前記第１カバー及び前記第２カバーが閉じた状態である前記閉状態では、前記第１カバー及び前記第２カバーの内側の直線部が当接して略円形状となり、前記ロック機構は、前記第１カバー及び前記第２カバーを前記閉状態で固定してもよい。これにより、フィルタエレメントの内部に塵埃が混入し、フィルタ装置から汚れた作動油が流出しないようにすることができる。
【０００９】
ここで、前記第１カバーには、第１把持部が形成され、前記第２カバーには、第２把持部が形成され、前記閉状態では、前記第１把持部と前記第２把持部とが隣接してもよい。これにより、フィルタエレメントを片手で把持することができる。
【００１０】
ここで、前記第１側面の内周面には、第１ネジ部が形成され、前記ヘッドは、前記嵌合筒の外側に形成された略円筒形状の第２側面を有し、前記第２側面の外周面には、前記第１ネジ部と螺合する第２ネジ部が形成され、前記第２側面の内周面には、リブが形成され、前記プレートには、軸受が形成され、前記カバーは、前記閉状態で前記開口部を覆う板状部と、前記軸受に挿入される軸と、前記軸に設けられた当接部と、を有し、前記当接部は、前記第１ネジ部と前記第２ネジ部とを螺合させて前記ケースと前記ヘッドとが所定位置まで近づくと、前記リブに当接し、前記板状部は、前記当接部が前記リブに当接したまま前記第１ネジ部と前記第２ネジ部との螺合量が増加すると、前記軸を中心に回転してもよい。これにより、ケースをヘッドに取り付けることで、カバーを自動的に開くことができる。したがって、フィルタエレメントの交換がより容易となる。
【００１１】
ここで、前記リブは、前記ヘッドの中心軸と略平行方向に延設され、前記第２側面の内周面から最も突出している頂部が前記第２側面の内周面と略平行であり、前記頂部の両端に曲面が形成されていてもよい。頂部の両端に曲面が形成されているため、当接部はまず曲面に当接する。その結果、第１ネジ部と前記第２ネジ部との螺合量が増加して当接部の先端の位置及び角度が変化したとしても、当接部の先端が曲面上を滑らかに移動する。これにより、板状部を滑らかに回転させることができる。また、第１ネジ部と前記第２ネジ部との螺合量が増加すると、当接部の先端が曲面から頂部に移動するため、カバーを開状態で維持することができる。
【００１２】
ここで、前記当接部は、略Ｊ字形状であり、前記軸の外周部の第１の位置には、前記板状部の端部が固定され、前記軸の外周部の前記第１の位置と略反対側の第２の位置には、前記当接部の前記略Ｊ字形状のうちの短い辺の先端が、前記略Ｊ字形状のうちの長い辺の先端が前記フィルタエレメントの径方向外側に向けて突出するように固定されてもよい。これにより、当接部の先端に加えられた力を用いて効率よくカバーを回転させることができる。また、当接部が弾性変形しやすいため、当接部を折れにくくすることができる。
【発明の効果】
【００１３】
本発明によれば、フィルタエレメントを簡単に交換することができる。
【図面の簡単な説明】
【００１４】
【図１】本発明の一実施形態であるフィルタ装置１の概略を示す斜視図である。
【図２】フィルタ装置１の概略を示す斜視図であって、一部を断面表示した図である。
【図３】フィルタ装置１の概略を示す断面図である。
【図４】フィルタエレメント２０の概略を示す斜視図である。
【図５】カバー２６が設けられたプレート２５の概略を示す斜視図である。
【図６】カバー２６が設けられたプレート２５の概略を示す断面図である。
【図７】下方へ引き抜かれたケース１１及びフィルタエレメント２０の概略を示す図である。
【図８】図７に示す状態から、カバー２６を閉じた状態を示す図である。
【図９】フィルタ装置２の概略を示す斜視図であって、一部を断面表示した図である。
【図１０】ヘッド１２Ａを裏側（−ｚ側）から見た斜視図である。
【図１１】フィルタエレメント２０Ａの概略を示す斜視図であり、カバー２６Ａが閉じた状態を示す。
【図１２】フィルタエレメント２０Ａの概略を示す斜視図であり、カバー２６Ａが開いた状態を示す。
【図１３】カバー２６Ａが設けられたプレート２５の概略を示す断面図である。
【図１４】雌ねじ部１１ａと雄ねじ部１２１ａとの螺合を開始するときのフィルタ装置２の概略を示す断面図である。
【図１５】図１４のＣ−Ｃ断面図である。
【図１６】図１４に示す状態から、雌ねじ部１１ａと雄ねじ部１２１ａとの螺合量を増やしたときのフィルタ装置２の概略を示す断面図である。
【図１７】（Ａ）は、図１６のＤ−Ｄ断面図であり、（Ｂ）は（Ａ）の（ア）部の拡大図である。
【図１８】（Ａ）は、図１７（Ａ）に示す状態から、雌ねじ部１１ａと雄ねじ部１２１ａとの螺合量を増やしたときの状態を示す図であり、（Ｂ）は（Ａ）における（イ）部の拡大図である。
【図１９】（Ａ）は、外周部２６１ａの端部が溝１１ｂに当接したときの状態を示す図であり、（Ｂ）は（Ａ）における（ウ）部の拡大図である。
【図２０】雌ねじ部１１ａと雄ねじ部１２１ａとの螺合し終わった状態におけるフィルタ装置２の概略を示す断面図である。
【図２１】（Ａ）は、図２０のＥ−Ｅ断面図であり、（Ｂ）は（Ａ）における（エ）部の拡大図である。
【発明を実施するための形態】
【００１５】
以下、本発明の実施形態を、図面を参照して詳細に説明する。
【００１６】
＜第１の実施の形態＞
図１は、本発明の第１の実施形態であるフィルタ装置１の概略を示す斜視図である。図２は、フィルタ装置１の概略を示す斜視図であって、一部を断面表示した図である。図３は、フィルタ装置１の概略を示す断面図である（ただし、断面を示すハッチングを一部省略している）。
【００１７】
フィルタ装置１は、主として、フィルタケース１０と、フィルタエレメント２０と、インジケータ３０と、ドレン３１と、バルブ３２と、を有する。なお、インジケータ３０、ドレン３１及びバルブ３２は、公知の技術を用いることができるため、詳細な説明を省略する。
【００１８】
フィルタケース１０は、主として、ケース１１と、ヘッド１２と、を有する。
【００１９】
ケース１１は、一端が略閉塞され、他端が開口する略有底円筒形状の部材であり、金属又は樹脂により形成される。ケース１１の略円筒形状の側面１１ｄには、内周面に雌ねじ部１１ａが形成される。ケース１１の底面（下端）には、ドレン３１（図２、図３参照）が設けられる。なお、ドレン３１を設けることは必須ではない。
【００２０】
ケース１１の上側（＋ｚ側）の開口端は、ヘッド１２に取り付けられる。ヘッド１２には、インジケータ３０（図１参照）が設けられる。インジケータ３０は、内部に設けられたリードスイッチ（図示せず）を用いてフィルタケース１０内部の圧力差を測定し、測定結果をランプ（図示せず）の点灯・消灯によって表示する。なお、測定結果の表示は、ランプの点灯・消灯に限られず、例えば、表示部（例えば液晶パネル）に測定結果を表示するようにしてもよい。
【００２１】
図２及び図３に示すように、ヘッド１２は、略有底円筒形状の部材であり、金属により形成される。ヘッド１２の開口端と、ケース１１の開口端とが連結されることで、フィルタエレメント２０が挿入される空間がフィルタケース１０の内部に形成される。
【００２２】
ヘッド１２の側面は、底面から下側（−ｚ側）に突出するように形成された略円筒形状の取付部１２１である。取付部１２１の外周面には、雄ねじ部１２１ａが形成される。雄ねじ部１２１ａを雌ねじ部１１ａに螺合させると、ヘッド１２がケース１１に取り付けられる。なお、ヘッド１２は、底面が上側（＋ｚ側）に位置するように設けられる。
【００２３】
ケース１１とヘッド１２との間には、シール部材４１（例えば、Ｏリング）が設けられる。シール部材４１により、ケース１１とヘッド１２との間から液体が外部に漏れないようにシールされる。
【００２４】
ヘッド１２は、取付部１２１の内側に、底面から下側（−ｚ側）に突出するように形成された略円筒形状の嵌合筒１２２を有する。嵌合筒１２２は、取付部１２１の内側に形成される。嵌合筒１２２は、プレート２５（後に詳述）の開口部２５０（後に詳述）に挿入される。
【００２５】
ヘッド１２の底面には、作動油をフィルタ装置１内部に流入させる流入部１２ａ及び作動油をフィルタ装置１外部に流出させる流出部１２ｂが形成される。
【００２６】
流入部１２ａは、フィルタケース１０の内部空間のうちのフィルタエレメント２０の外側の空間と、フィルタケース１０の外部空間とを連通する。本実施の形態では、フィルタケース１０の内部空間のうちのフィルタエレメント２０の外側の空間とは、取付部１２１と嵌合筒１２２との間の空間Ｓ１及びケース１１の内部空間のうちのフィルタエレメント２０の外側の空間Ｓ２に相当する。なお、本実施の形態では、流入部１２ａはヘッド１２に形成されるが、作動油をフィルタ装置１内部に流入させる流入部はケース１１に形成されていてもよい。
【００２７】
流出部１２ｂは、嵌合筒１２２の内部の空間Ｓ４及び内筒２１の内部の空間Ｓ３と、フィルタケース１０の外部空間とを連通する。
【００２８】
ヘッド１２の底面の、流入部１２ａと流出部１２ｂとの間の壁面には、バルブ３２が設けられる。バルブ３２は、空間Ｓ１及び空間Ｓ２の圧力と、空間Ｓ３及び空間Ｓ４の圧力との差に応じて開閉する。
【００２９】
図３に示すように、フィルタエレメント２０は、主として、内筒２１と、濾材２２と、外筒２３と、内筒２１、濾材２２及び外筒２３の両端に設けられるプレート２４、２５と、カバー２６と、を有する。
【００３０】
内筒２１は、耐腐食性の高い材料（本実施の形態では、樹脂）を用いて形成された略中空円筒形状の部材である。内筒２１の全面には、作動油が通過する孔２１ａが多数形成される。
【００３１】
濾材２２は、径方向に厚みを有する略中空円筒形状である。濾材２２は、合成樹脂や紙等を用いたシート状の濾紙をひだ折りにし、ひだ折りにした濾紙の両端を連結して円筒状に丸めることによって形成される。濾材２２は、内筒２１の外側に設けられる。
【００３２】
図４は、フィルタエレメント２０の概略を示す斜視図である。外筒２３は、耐腐食性の高い材料（本実施の形態では、樹脂）を用いて形成された略中空円筒形状の部材である。外筒２３の全面には、作動油が通過する孔２３ａ（図２、３では図示を省略している）が多数形成される。外筒２３は、内筒２１及び濾材２２の外側に設けられる。
【００３３】
内筒２１、濾材２２及び外筒２３の一方の端（下端）にはプレート２４が設けられ、他方の端（上端）にはプレート２５が設けられる。プレート２４及びプレート２５は、有底略円筒形状の部材であり、耐腐食性の高い材料（本実施の形態では、樹脂）を用いて形成される。
【００３４】
図２及び図３に示すように、プレート２４はケース１１の内周面に当接する。なお、プレート２４とケース１１とが当接する位置は、図示された位置に限定されない。プレート２４とケース１１底面との隙間は、任意の広さに設定できる。
【００３５】
プレート２５は、内筒２１の内部空間と連通する開口部２５０（後に詳述）を介してヘッド１２に取り付けられる。プレート２５には、カバー２６が設けられる。図５は、カバー２６が設けられたプレート２５の概略を示す斜視図である。図６は、カバー２６が設けられたプレート２５の概略を示す断面図である。
【００３６】
プレート２５は、耐腐食性の高い材料（本実施の形態では、樹脂）を用いて形成される。図６に示すように、プレート２５は、主として、第１のプレート２５１と、第２のプレート２５２と、を有する。第２のプレート２５２は、第１のプレート２５１の内側に嵌合する。第１のプレート２５１及び第２のプレート２５２には、略中央に内筒２１の内側の空間（空間Ｓ３）と連通する開口部２５０が形成される。
【００３７】
第１のプレート２５１は、主として、略円板形状の本体２５１ａと、本体２５１ａの内周面に沿って上方（＋ｚ方向）に突出する円筒部２５１ｂと、本体２５１ａの外周面に沿って下方（−ｚ方向）に突出する外周部２５１ｃと、を有する。円筒部２５１ｂには、開口部２５０の一部を構成する開口部２５０ａが形成される。また、円筒部２５１ｂには、フランジ部２５１ｇが形成され、フランジ部２５１ｇには軸受２５１ｅが形成される。
【００３８】
図３に示すように、本体２５１ａの下側（−ｚ側）の面には、濾材２２が当接する。外周部２５１ｃの内周面は、外筒２３を覆う。
【００３９】
図６の説明に戻る。第２のプレート２５２は、主として、略円板形状の本体部２５２ａと、本体部２５２ａから上方（＋ｚ方向）に突出する略円筒形状の嵌合筒２５２ｂと、本体部２５２ａから下方（−ｚ方向）に突出する略円筒形状の円筒部２５２ｃと、を有する。嵌合筒２５２ｂの内周面は、開口部２５０の一部を構成する開口部２５０ｂである。
【００４０】
本体部２５２ａの外周部２５２ｄが、本体２５１ａの内周部２５１ｄに嵌合することで、第２のプレート２５２が第１のプレート２５１の内側に設けられる。
【００４１】
図３に示すように、円筒部２５２ｃは、内筒２１の内側に挿入される。また、本体２５１ａと嵌合筒２５２ｂの略中央に形成された開口部２５０には、ヘッド１２の嵌合筒１２２が嵌合される。そのため、嵌合筒２５２ｂに嵌合筒１２２が挿入されると、内筒２１の内部空間（空間Ｓ３）が嵌合筒１２２の内部空間（空間Ｓ４）と連通する。
【００４２】
開口部２５０の開口部２５０ａと開口部２５０ｂとの間には、シール部材４２（例えば、Ｏリング）が設けられる。シール部材４２により、プレート２５と嵌合筒１２２との間から液体が外部に漏れないようにシールされる。
【００４３】
図５及び図６の説明に戻る。プレート２５の上側（＋ｚ側）には、略半円形状のカバー２６が２つ設けられる。図５に示すように、プレート２５には、２つのカバー２６が対向して設けられる。２つのカバー２６は、上（＋ｚ方向）から見たときに、開口部２５０の中心軸（フィルタエレメント２０の中心軸Ａ）を中心として点対称の位置に設けられる。２つのカバー２６は、それぞれ、開口部２５０を覆う閉状態（図５、図８等参照）と、開口部２５０が露出される開状態（図２、図３及び図７等参照）との間で回転可能に設けられる。
【００４４】
カバー２６は、主として、本体２６１と、軸２６２（図６参照、図５では視認不可）と、把持部２６３と、を有する。本体２６１は、略半円形状の板状の部品であり、耐腐食性の高い材料（本実施の形態では、樹脂）を用いて形成される。本体２６１は、円弧形状の外周部２６１ａと、直線状の内側部２６１ｂ（図２参照、図５では視認不可）と、を有する。外周部２６１ａは、径方向外側に突出する突起２６１ｃを有する。本体２６１は、端から突出するように形成されたフランジ部２６１ｄを有する。なお、突起２６１ｃ及びフランジ部２６１ｄの位置、大きさ等はこれに限定されない、
【００４５】
図６に示すように、フランジ部２６１ｄから下方（−ｚ方向）に突出するように、軸２６２が設けられる。軸２６２は、第１のプレート２５１のフランジ部２５１ｇに形成された軸受２５１ｅに挿入される。これにより、カバー２６は、第１のプレート２５１に対して回転可能に設けられる。
【００４６】
図５に示すように、把持部２６３は、上方（＋ｚ方向）に突出するように本体２６１に設けられる。把持部２６３は、作業者がフィルタエレメント２０を把持するための部材であり、作業者の指をかけるための孔２６３ａが形成される。把持部２６３は、内側部２６１ｂに沿って設けられる（図２参照）。
【００４７】
把持部２６３には、内側部２６１ｂに沿って突出する凸部２６３ｂを有する。２個のカバー２６が、それぞれの内側部２６１ｂが当接する状態（以下、閉状態という）にあるときには、２個の凸部２６３ｂが当接することで、カバー２６同士が開かないように、カバー２６の位置が固定される。このように、凸部２６３ｂは、カバー２６を閉状態でロックするロック機構として機能する。カバー２６が閉状態にあるときは、カバー２６は全体として略円形状である。
【００４８】
カバー２６が開いた状態（以下、開状態という）では、図２に示すように、突起２６１ｃが、ケース１１の内周面に形成された溝１１ｂに挿入される。また、開状態において、フィルタ装置１等の振動によりカバー２６が閉じる方向に回転した場合には、把持部２６３が嵌合筒１２２の外周に当接して、カバー２６が開状態で維持される。
【００４９】
次に、このように構成されたフィルタ装置１の作用について説明する。
まず、図３を用いて、フィルタ装置１の濾過機能について説明する。図３の矢印は、フィルタ装置１内部の作動油の流れを示す。
【００５０】
作動油のうちの濾過すべき作動油Ｌ１は、流入部１２ａを通って空間Ｓ１に流入する。空間Ｓ１に流入した作動油Ｌ１は、ケース１１とフィルタエレメント２０との間の空間Ｓ２に流入する。
【００５１】
その後、作動油Ｌ１は、外筒２３、濾材２２、内筒２１を順番に通過して、内筒２１の内部空間である空間Ｓ３へ流出する。作動油Ｌ１は濾材２２で濾過される。空間Ｓ３へ流出した濾過された作動油Ｌ２は、空間Ｓ４及び流出部１２ｂを通ってフィルタ装置１の外部へ排出される。
【００５２】
フィルタ装置１の使用を継続すると、濾材２２に塵埃が付着し、空間Ｓ１と空間Ｓ４との圧力差が大きくなる。空間Ｓ１と空間Ｓ４との圧力差がある閾値Ｔ１（閾値Ｔ１は、任意の値に設定可能である）以上となると、バルブ３２が開いて作動油Ｌ１が空間Ｓ４に排出される。
【００５３】
また、空間Ｓ１と空間Ｓ４との圧力差がある閾値Ｔ２（閾値Ｔ２は、任意の値に設定可能である。閾値Ｔ２は、閾値Ｔ１と同じでもよいし、異なっていてもよい。）以上となると、インジケータ３０（図１参照）のランプの消灯と点灯とが切り替えられる。これにより、フィルタ装置１内の、空間Ｓ１と空間Ｓ４との圧力差が閾値Ｔ２以上となった、すなわちフィルタエレメント２０の濾材２２が目詰まりしていることが表示される。
【００５４】
その後、ユーザーにより、フィルタエレメント２０が交換される。フィルタエレメント２０を交換するには、まず、ドレン３１を開き、ケース１１の内側とフィルタエレメント２０の外側との間に溜まっている作動油Ｌ１を、ケース１１底面の孔１１ｃから排出する。次に、ケース１１を回転させて、雌ねじ部１１ａと雄ねじ部１２１ａとの螺合を外してケース１１とヘッド１２とを分離する。すると、同時に、開口部２５０と嵌合筒１２２との嵌合も外れる。雌ねじ部１１ａと雄ねじ部１２１ａとの螺合が外れたら、ケース１１を下方（−ｚ方向）へ引き抜く。
【００５５】
図７は、下方へ引き抜かれたケース１１及びフィルタエレメント２０の概略を示す図である。突起２６１ｃが溝１１ｂに挿入されているため、ケース１１を下方へ引き抜くと、ケース１１及びフィルタエレメント２０がヘッド１２から取り外される。
【００５６】
この時、把持部２６３が嵌合筒１２２の外周に当接しなくなるが、第１のプレート２５１に形成された突起２５１ｆにカバー２６の内側部２６１ｂが当接することで、カバー２６が開状態で維持される。
【００５７】
ケース１１及びフィルタエレメント２０がヘッド１２から取り外されたら、ケース１１からフィルタエレメント２０を取り外す。図８は、図７に示す状態（カバー２６は開状態にある）から、カバー２６を閉じた状態を示す図である。フィルタエレメント２０を取り外すには、まず、２枚のカバー２６を閉じて、２個の凸部２６３ｂを当接させて、カバー２６を閉状態でロックする。なお、カバー２６が閉状態にあるときには、突起２５１ｆは、カバー２６の裏面に形成された凹部（図示省略）に挿入される。
【００５８】
カバー２６が閉状態にある場合には、２個の把持部２６３が直線状に並んで隣接する。したがって、ユーザーは、２個の孔２６３ａのそれぞれに指を挿入することで、フィルタエレメント２０を片手で把持することができる。そのため、フィルタエレメント２０の交換が容易となる。
【００５９】
ユーザーは、フィルタエレメント２０を片手で把持したまま、使用済みのフィルタエレメント２０をケース１１から引き抜き、新しいフィルタエレメント２０をケース１１に挿入する。交換時にはカバー２６が閉状態であるため、新しいフィルタエレメント２０の内筒２１の内周面等には、塵埃が混入しない。
【００６０】
新しいフィルタエレメント２０をケース１１の内部に挿入したら、カバー２６を閉状態から開状態にして、これらをヘッド１２に取り付ける。具体的には、ケース１１を回転させて雌ねじ部１１ａと雄ねじ部１２１ａとを螺合させることで、ケース１１をヘッド１２に取り付け、かつ開口部２５０と嵌合筒２５２ｂとを嵌合させてフィルタエレメント２０をヘッド１２に取り付ける。このようにして、新しいフィルタエレメント２０がフィルタケース１０の内部に取り付けられると、インジケータ３０により、空間Ｓ１と空間Ｓ４との圧力差が閾値以下となったことが表示される。
【００６１】
本実施の形態によれば、突起２６１ｃを溝１１ｂに挿入することで、フィルタエレメント２０の交換時にケース１１とフィルタエレメント２０を一緒にヘッド１２から取り外すことができる。これにより、フィルタエレメント２０の交換が容易となる。また、フィルタエレメント２０の交換時に、フィルタエレメント２０の外側に付着した作動油が垂れ落ちないようにすることができる。
【００６２】
また、本実施の形態によれば、フィルタエレメント２０の交換時にカバー２６を閉状態とするため、フィルタエレメント２０の内部に塵埃が混入することが防止できる。
【００６３】
フィルタ装置１では、作動油Ｌ１が濾材２２の外側から内側へ移動することにより、濾過された作動油Ｌ２が内筒２１の内側に流出する。カバー２６が設けられていない場合には、内筒２１の内側に塵埃が混入するが、内筒２１の内部は濾過後の作動油Ｌ２が通過するため、内筒２１の内周面に付着した塵埃が濾過後の作動油Ｌ２に混入してしまうおそれがある。このように、カバー２６が設けられていない場合には、フィルタ装置１から汚れた作動油が流出するおそれがある。
【００６４】
それに対し、フィルタエレメント２０にカバー２６を設け、フィルタエレメント２０の交換時にカバー２６を閉状態とすることで、内筒２１の内周面やケース１１の底面に塵埃が混入することを防止し、これによりフィルタ装置１から汚れた作動油が流出しないようにすることができる。
【００６５】
また、本実施の形態によれば、フィルタエレメント２０の交換時に、フィルタエレメント２０がケース１１内に挿入されたままの状態でケース１１がヘッド１２から取り外されるため、フィルタエレメントの交換に必要なスペースを狭くすることができる。
【００６６】
例えば、フィルタエレメント２０がヘッド１２と一体化されている場合には、フィルタエレメント２０交換時にケース１１をヘッド１２から外すと、ヘッド１２にフィルタエレメント２０が取り付けられたまま、ケース１１のみがヘッド１２から取り外される。そのため、ケース１１及びフィルタエレメント２０の長さの合計以上の高さを有するスペースを、フィルタエレメント２０の交換に必要なスペースとして油圧装置内に確保しなければならない。
【００６７】
それに対し、フィルタエレメント２０がケース１１内に挿入された状態でケース１１がヘッド１２から取り外せるようにすれば、フィルタエレメント２０の交換に必要なスペースは、雌ねじ部１１ａと雄ねじ部１２１ａとの螺合を外すだけのスペースで十分となる。したがって、フィルタエレメントの交換に必要なスペースを狭くすることができる。
【００６８】
また、本実施の形態によれば、フィルタエレメント２０の交換時に、隣接する把持部２６３の孔２６３ａに指を挿入することで、ユーザーが、フィルタエレメント２０を片手で把持することができる。そのため、フィルタエレメント２０の交換が容易となる。
【００６９】
例えば、フィルタエレメントにカバーが設けられておらず、把持部も設けられていない場合には、フィルタエレメントの交換時に、ユーザーがフィルタエレメントの本体部分や底面を、手全体を用いて把持しなくてはならない。また、フィルタエレメントの大きさによっては、ユーザーが両手でフィルタエレメントの本体部分を把持しなくてはならない。そのため、フィルタエレメントの交換時に、ユーザーの手、場合によっては両手ともが汚れてしまうおそれがある。
【００７０】
それに対し、フィルタエレメント２０が隣接する把持部２６３（孔２６３ａを含む）を有する場合には、フィルタエレメント２０の大きさ等によらず、ユーザーは片手でフィルタエレメント２０を把持することができる。しかも、把持部２６３の孔２６３ａに挿入する指以外は汚れずにすむ。したがって、フィルタエレメント２０の交換が容易となる。
【００７１】
なお、本実施の形態では、フィルタエレメント２０の交換時にケース１１とフィルタエレメント２０を一緒にヘッド１２から取り外すようにするため、突起２６１ｃを溝１１ｂに挿入する構成としたが、突起２６１ｃを設けず、外周部２６１ａを溝１１ｂに挿入する構成としてもよい（第２の実施の形態参照）。
【００７２】
また、本実施の形態では、カバー２６が閉状態にあるときに、２個の把持部２６３が直線状に並んで隣接したが、２個の把持部２６３の位置はこれに限られない。例えば、カバー２６が閉状態にあるときに、２個の把持部２６３及び２個の孔２６３ａが重なるように隣接してもよい。この場合にも、ユーザーは、２個の孔２６３ａに同じ指を挿入することで、フィルタエレメント２０を片手で把持することができる。
【００７３】
＜第２の実施の形態＞
本発明の第１の実施の形態は、新しいフィルタエレメント２０をケース１１の内部に挿入し、ユーザーがカバー２６を閉状態から開状態にしてからケース１１をヘッド１２に取り付けたが、カバーが自動的に閉状態から開状態になってもよい。
【００７４】
本発明の第２の実施の形態は、カバーが自動的に閉状態から開状態になる形態である。以下、本発明の第２の実施の形態にかかるフィルタ装置２について説明する。以下、第１の実施の形態と同一の部分については、同一の符号を付し、説明を省略する。
【００７５】
図９は、フィルタ装置２の概略を示す斜視図であって、一部を断面表示した図である。フィルタ装置２は、主として、フィルタケース１０Ａと、フィルタエレメント２０Ａと、インジケータ３０と、ドレン３１と、バルブ３２と、を有する。
【００７６】
フィルタケース１０は、主として、ケース１１と、ヘッド１２Ａと、を有する。ヘッド１２Ａは、ヘッド１２と同様、略有底円筒形状の部材であり、金属により形成される。ヘッド１２とヘッド１２Ａとの差異は、ヘッド１２Ａがリブ１２３を有する点である。以下、リブ１２３について詳細に説明する。
【００７７】
図１０は、ヘッド１２Ａを裏側（−ｚ側）から見た斜視図である。リブ１２３は、略円筒形状の取付部１２１の内周面に形成される。リブ１２３は、略９０度毎に４箇所形成される。
【００７８】
ただし、リブ１２３の位置及び数は図１０に示す形態に限定されない。リブ１２３は、少なくとも、軸２６４（後に詳述）の位置及び数と同じ数（本実施の形態では、対向する位置に２つ）設けられていればよい。
【００７９】
リブ１２３は、中心軸Ａ（ヘッド１２Ａの中心軸Ａとフィルタエレメント２０Ａの中心軸Ａとは同一である）と略平行方向、すなわちｚ方向に沿って形成される。リブ１２３は、中心軸Ａと直交する断面における形状が略矩形形状である。リブ１２３の、取付部１２１の内周面から最も突出している頂部が平坦面１２３ａである。平坦面１２３ａは、取付部１２１の内周面と略平行である。平坦面１２３ａの両端には、曲面１２３ｂが形成される。なお、取付部１２１の直径に比べてリブ１２３の突出量は小さいため、平坦面１２３ａは略平面といえる。
【００８０】
図９の説明に戻る。フィルタエレメント２０Ａは、主として、内筒２１（図９では図示せず）と、濾材２２（図９では図示せず）と、外筒２３と、プレート２４、２５と、カバー２６Ａと、を有する。図９においては、カバー２６Ａが開状態であり、カバー２６Ａの外周部２６１ａ（後に詳述）がケース１１の溝１１ｂに挿入されている。以下、カバー２６Ａについて詳細に説明する。
【００８１】
図１１は、カバー２６Ａが閉状態にあるときのフィルタエレメント２０Ａの概略を示す斜視図である。図１２は、カバー２６Ａが開状態にあるときのフィルタエレメント２０Ａの概略を示す斜視図である。
【００８２】
プレート２５の上側（＋ｚ側）には、略半円形状のカバー２６Ａが２つ設けられる。２つのカバー２６Ａは、上（＋ｚ方向）から見たときに、中心軸Ａを中心として点対象の位置に設けられる。２つのカバー２６Ａは、それぞれ、開口部２５０を覆う閉状態（図１１参照）と、開口部２５０が露出される開状態（図１２参照）との間で回転可能に設けられる。
【００８３】
カバー２６Ａは、主として、板状部２６１Ａと、軸２６４と、当接部２６５と、を有する。軸２６４には、本体２６１及び当接部２６５が設けられる。
【００８４】
板状部２６１Ａは、略半円形状の板状の部品であり、耐腐食性の高い材料（本実施の形態では、樹脂）を用いて形成される。板状部２６１Ａは、主として、円弧形状の外周部２６１ａと、直線状の内側部２６１ｂ（図１２参照）と、を有する。
【００８５】
板状部２６１Ａの外周部２６１ａと内側部２６１ｂとが交差する領域を含む端部には、突起２６１ｅが形成される。突起２６１ｅの先端が、軸２６４に固定される。
【００８６】
図１３は、カバー２６Ａが設けられたプレート２５の概略を示す断面図である。軸２６４は、中心軸Ａと略平行方向に（ｚ方向に沿って）延設される。軸２６４は、下端近傍が軸受２５１ｅに挿入される。これにより、カバー２６Ａは、第１のプレート２５１に対して回転可能に設けられる。
【００８７】
軸２６４の上端近傍には、当接部２６５が設けられる。なお、図１３では、右側の軸２６４に設けられた当接部２６５の図示を省略している。
【００８８】
図１１、１２の説明に戻る。当接部２６５は、略Ｊ字形状の部材である。当接部２６５のＪ字形状における短い辺の先端を先端２６５ａとし、Ｊ字形状における略円弧形状の部分を底部２６５ｂとし、Ｊ字形状における長い辺の先端を先端２６５ｃとする。
【００８９】
軸２６４には、先端２６５ａが固定される。軸２６４の外周部における突起２６１ｅの先端が設けられる位置を位置Ｘとすると、先端２６５ａは、軸２６４の中心線に沿った方向から見て位置Ｘと略反対側の位置Ｙに設けられる。なお、図１１、１２では、位置Ｘと位置Ｙとは軸２６４の中心を挟んで厳密に対向していないが、図１１、１２に示すように数度程度のずれを含む状態も略反対側に含まれる。
【００９０】
また、当接部２６５は、外周部２６１ａが突出する方向と略反対方向に底部２６５ｂが突出し、フィルタエレメント２０Ａの径方向外側に向けて先端２６５ｃが突出するように軸２６４に設けられる。なお、先端２６５ｃがフィルタエレメント２０Ａの径方向外側に向けて突出するのであれば、底部２６５ｂが突出する方向は図１１、１２に示す形態に限定されない。
【００９１】
次に、このように構成されたフィルタ装置２の作用について説明する。フィルタ装置２の濾過機能は、フィルタ装置１の濾過機能と同一であるため説明を省略し、フィルタ装置２におけるフィルタエレメント２０Ａの交換方法について説明する。
【００９２】
まず、フィルタエレメント２０Ａの取り外しについて、図９を用いて説明する。まず、ドレン３１を開き、ケース１１の内側とフィルタエレメント２０Ａの外側との間に溜まっている作動油を、ケース１１底面の孔１１ｃから排出する。次に、ケース１１を回転させて、雌ねじ部１１ａと雄ねじ部１２１ａとの螺合を外してケース１１とヘッド１２Ａとを分離し、開口部２５０と嵌合筒１２２との嵌合を外す。雌ねじ部１１ａと雄ねじ部１２１ａとの螺合が外れたら、ケース１１を下方（−ｚ方向）へ引き抜く。
【００９３】
カバー２６Ａの外周部２６１ａが溝１１ｂに挿入されているため、ケース１１を下方へ引き抜くと、ケース１１及びフィルタエレメント２０Ａがヘッド１２Ａから取り外される。そして、ケース１１からフィルタエレメント２０Ａを引き抜くと、フィルタエレメント２０Ａがケース１１から取り外される。
【００９４】
次に、新しいフィルタエレメント２０Ａをケース１１に挿入し、これらをヘッド１２に取り付ける。以下、新しいフィルタエレメント２０Ａの取り付けについて、図１４〜図２１を用いて詳細に説明する。
【００９５】
新しいフィルタエレメント２０Ａをケース１１の内部に挿入したら、これらをヘッド１２Ａに取り付ける。このとき、カバー２６Ａが閉状態であるため、新しいフィルタエレメント２０Ａの内部には塵埃が混入しない。なお、フィルタ装置２では、ケース１１をヘッド１２Ａに取り付けることでカバー２６Ａが自動的に開くため、カバー２６は閉状態のまま作業を開始する。
【００９６】
図１４は、雌ねじ部１１ａと雄ねじ部１２１ａとの螺合を開始するときのフィルタ装置２の概略を示す断面図である。図１５は、図１４のＣ−Ｃ断面図である。なお、図１４では、断面を示すハッチングを一部省略している。また、図１５では、説明のために要部のみを図示している。ケース１１を回転させて（図１４の矢印Ｉ参照）、雌ねじ部１１ａと雄ねじ部１２１ａとの螺合を開始する。雌ねじ部１１ａと雄ねじ部１２１ａとの螺合を開始してしばらくの間は、当接部２６５とリブ１２３とが当接しない。
【００９７】
図１６は、図１４に示す状態から、雌ねじ部１１ａと雄ねじ部１２１ａとの螺合量を増やしたときのフィルタ装置２の概略を示す断面図である。図１７（Ａ）は、図１６のＤ−Ｄ断面図であり、図１７（Ｂ）は図１７（Ａ）の（ア）部の拡大図である。なお、図１７では、説明のために要部のみを図示している。ケース１１を回転させて（図１６の矢印Ｉ参照）雌ねじ部１１ａと雄ねじ部１２１ａとの螺合量を増やすと、ケース１１及びフィルタエレメント２０Ａがヘッド１２Ａに向かって移動する（図１６の矢印ＩＩ参照）。そして、ケース１１とヘッド１２Ａとが所定位置まで近づくと、当接部２６５がリブ１２３に当接する。この時には、当接部２６５の先端２６５ｃがリブ１２３の曲面１２３ｂに当接する。
【００９８】
図１８（Ａ）は、図１７（Ａ）に示す状態から、雌ねじ部１１ａと雄ねじ部１２１ａとの螺合量を増やしたときの状態を示す図であり、図１８（Ｂ）は図１８（Ａ）の（イ）部の拡大図である。リブ１２３がｚ方向に沿って延設されているため、先端２６５ｃがリブ１２３に当接したままケース１１を回転させて（図１８（Ａ）の矢印Ｉ参照）、雌ねじ部１１ａと雄ねじ部１２１ａとの螺合量を増やすと、当接部２６５がリブ１２３を押圧し続ける。そのため、当接部２６５には、ケース１１の回転方向と反対向きの力が連続して加えられる（図１８（Ａ）、（Ｂ）の矢印ＩＩＩ参照）。
【００９９】
その結果、軸２６４を中心として、当接部２６５及び板状部２６１Ａがケース１１の回転方向と反対向きに回転する（図１８（Ａ）の矢印ＩＩＩ、ＩＶ参照）。これにより、カバー２６Ａが閉状態から開状態へと移動する。
【０１００】
ここで、軸２６４の外周部における位置Ｘに突起２６１ｅの先端が設けられ、また、外周部２６１ａが突出する方向と反対方向に底部２６５ｂが突出し、フィルタエレメント２０Ａの径方向外側に向けて先端２６５ｃが突出するように、位置Ｙに先端２６５ａが設けられる。したがって、先端２６５ｃに加えられた力により、効率よくカバー２６Ａを回転させることができる。
【０１０１】
カバー２６Ａが閉状態から開状態へと移動する間、先端２６５ｃは曲面１２３ｂに当接する。そのため、図１７、図１８に示すように、カバー２６Ａが回転して先端２６５ｃの位置及び角度が変化したとしても、先端２６５ｃが曲面１２３ｂ上を滑らかに移動する。その結果、軸２６４、すなわち板状部２６１Ａは滑らかに回転する。
【０１０２】
板状部２６１Ａ及び当接部２６５は、外周部２６１ａの端部がケース１１の内周面に形成された溝１１ｂに当接するまで回転する。図１９（Ａ）は外周部２６１ａの端部が溝１１ｂに当接したときの状態を示す図であり、図１９（Ｂ）は図１９（Ａ）の（ウ）部の拡大図である。外周部２６１ａの端部が溝１１ｂに当接したときには、先端２６５ｃは、曲面１２３ｂを通過して、平坦面１２３ａに当接している。
【０１０３】
その後、ケース１１を更に回転させると、雌ねじ部１１ａと雄ねじ部１２１ａとが螺合し終わる。図２０は、雌ねじ部１１ａと雄ねじ部１２１ａとが螺合し終わった状態におけるフィルタ装置２の概略を示す断面図である。図２１（Ａ）は、図２０のＥ−Ｅ断面図であり、図２１（Ｂ）は図２１（Ａ）における（エ）部の拡大図である。なお、図２０では、断面を示すハッチングを一部省略している。また、図２１では、説明のために要部のみを図示している。図２０に示すように、リブ１２３がｚ方向に沿って延設されているため、雌ねじ部１１ａと雄ねじ部１２１ａとが螺合し終わったときも、当接部２６５とリブ１２３とは当接したままである。
【０１０４】
図２１に示すように、ケース１１がヘッド１２Ａに取り付けられたときの先端２６５ｃの位置は、図１９に示す状態と比較して、平坦面１２３ａの中心線に近い位置にある。つまり、図１９に示す状態から図２１に示す状態に移行する間に、先端２６５ｃは平坦面１２３ａに沿って移動している。
【０１０５】
ただし、平坦面１２３ａは、ケース１１の回転方向、すなわちケース１１の側面や取付部１２１の内周面に略沿っているため、先端２６５ｃが平坦面１２３ａに当接したまま雌ねじ部１１ａと雄ねじ部１２１ａとの螺合量が増加しても、当接部２６５が回転する方向に力が加えられず、板状部２６１Ａ及び当接部２６５が軸２６４を中心に回転しない。したがって、カバー２６Ａは、開状態で維持される。
【０１０６】
ただし、先端２６５ｃが平坦面１２３ａに当接している間、先端２６５ｃは、径方向内側に向けて押圧される。しかしながら、当接部２６５は略Ｊ字形状であるため、先端２６５ｃが径方向内側に向けて押圧されたとしても、当接部２６５は幅が狭くなる方向に弾性変形する。このように、当接部２６５を略Ｊ字形状とすることで、当接部２６５を折れにくくすることができる。
【０１０７】
また、当接部２６５は略Ｊ字形状である（すなわち、底部２６５ｂが曲面である）ため、当接部２６５は幅が狭くなる方向に弾性変形した場合にも、力が特定の箇所に集中しない。これにより、当接部２６５がより折れにくくなる。
【０１０８】
本実施の形態によれば、カバー２６Ａの外周部２６１ａを溝１１ｂに挿入することで、フィルタエレメント２０Ａの交換時にケース１１とフィルタエレメント２０Ａを一緒にヘッド１２Ａから取り外すことができる。したがって、フィルタエレメント２０Ａの交換が容易となる。また、フィルタエレメント２０Ａの交換に必要なスペースを狭くすることができる。
【０１０９】
また、本実施の形態によれば、フィルタエレメント２０Ａにカバー２６Ａを設け、フィルタエレメント２０Ａがヘッド１２Ａに取り付ける前にはカバー２６Ａが閉状態であるため、ケース１１の内部又はフィルタエレメント２０Ａの内部に塵埃が混入することが防止できる。
【０１１０】
また、本実施の形態では、フィルタエレメント２０Ａが内部に設けられたケース１１をヘッド１２Ａに取り付けることで、カバー２６Ａを自動的に開くことができる。したがって、フィルタエレメント２０Ａの交換がより容易となる。
【０１１１】
また、本実施の形態では、当接部２６５が略Ｊ字形状であるため、当接部２６５を折れにくくすることができる。例えば、略矩形形状の当接部が径方向外側に突出する場合には、当接部が弾性変形しにくいため、フィルタエレメントの使用中やフィルタエレメントを取り外す時等に、当接部に意図しない力が加わり、当接部が破損するおそれがある。それに対し、当接部２６５を略Ｊ字形状とすることで、当接部２６５が弾性変形しやすくなり、これにより当接部２６５を折れにくくすることができる。
【０１１２】
なお、本実施の形態は、カバー２６Ａを自動的に開く機構（リブ１２３、軸２６４及び当接部２６５）を有したが、カバーの開閉を電気的に行ってもよい。例えば、雌ねじ部１１ａと雄ねじ部１２１ａとが当接したことを検出し、雌ねじ部１１ａと雄ねじ部１２１ａとが当接したらアクチュエータ等を用いてカバーの開状態とし、雌ねじ部１１ａと雄ねじ部１２１ａとが当接しなくなったらアクチュエータ等を用いてカバーを閉状態としてもよい。
【０１１３】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。また、実施形態の構成の一部を他の実施形態の構成に置き換えることが可能であり、また、実施形態の構成に他の構成の追加、削除、置換等をすることが可能である。
【０１１４】
また、本発明において、「略」とは、厳密に同一である場合のみでなく、同一性を失わない程度の誤差や変形を含む概念である。例えば、「略円筒形状」とは、厳密に円筒形状の場合には限られない。また、例えば、単に略中央等と表現する場合において、厳密に中央等の場合のみでなく、略中央等の場合を含むものとする。
【符号の説明】
【０１１５】
１、２      ：フィルタ装置
１０、１０Ａ：フィルタケース
１１        ：ケース
１１ａ      ：雌ねじ部
１１ｂ      ：溝
１２、１２Ａ：ヘッド
１２ａ      ：流入部
１２ｂ      ：流出部
２０、２０Ａ：フィルタエレメント
２１        ：内筒
２１ａ      ：孔
２２        ：濾材
２３        ：外筒
２３ａ      ：孔
２４、２５  ：プレート
２６、２６Ａ：カバー、
３０        ：インジケータ
３１        ：ドレン
３２        ：バルブ
４１、４２  ：シール部材
１２１      ：取付部
１２１ａ    ：雄ねじ部
１２２      ：嵌合筒
１２３      ：リブ
１２３ａ    ：平坦面
１２３ｂ    ：曲面
２５０      ：開口部
２５１      ：第１のプレート
２５１ａ    ：本体
２５１ｂ    ：円筒部
２５１ｃ    ：外周部
２５１ｄ    ：内周部
２５１ｅ    ：軸受
２５１ｆ    ：突起
２５１ｇ    ：フランジ部
２５２      ：第２のプレート
２５２ａ    ：本体部
２５２ｂ    ：嵌合筒
２５２ｃ    ：円筒部
２５２ｄ    ：外周部
２６１      ：本体
２６１Ａ    ：板状部
２６１ａ    ：外周部
２６１ｂ    ：内側部
２６１ｃ    ：突起
２６１ｄ    ：フランジ部
２６１ｅ    ：突起
２６２      ：軸
２６３      ：把持部
２６３ａ    ：孔
２６３ｂ    ：凸部
２６４      ：軸
２６５      ：当接部
２６５ａ    ：先端
２６５ｂ    ：底部
２６５ｃ    ：先端
【図１】
0006684071.tif 000002
【図２】
0006684071.tif 000003
【図３】
0006684071.tif 000004
【図４】
0006684071.tif 000005
【図５】
0006684071.tif 000006
【図６】
0006684071.tif 000007
【図７】
0006684071.tif 000008
【図８】
0006684071.tif 000009
【図９】
0006684071.tif 000010
【図１０】
0006684071.tif 000011
【図１１】
0006684071.tif 000012
【図１２】
0006684071.tif 000013
【図１３】
0006684071.tif 000014
【図１４】
0006684071.tif 000015
【図１５】
0006684071.tif 000016
【図１６】
0006684071.tif 000017
【図１７】
0006684071.tif 000018
【図１８】
0006684071.tif 000019
【図１９】
0006684071.tif 000020
【図２０】
0006684071.tif 000021
【図２１】
0006684071.tif 000022